(57)【要約】【課題】コンパクトに折り畳むことができるとともに、折り畳み状態から組み立てる際の作業を片手で容易に行なえるようにする。【解決手段】２枚の平行な仕切り板部１が下端の底板部２によって繋がった段ボール板製の仕切り部材３と、仕切り板部１に対しスリット状の溝５，１０同士で直角に互いに噛み合う段ボール板製の仕切り板４とから構成され、底板部２には前記スリット状の溝５と同位置にスリット状の溝６が形成されているとともに両仕切り板部１間の中間位置に折り目７が形成されており、さらに底板部２には両仕切り板部１との連設部においてスリット状の溝６を挟む位置で逆台形状の切り込み８が形成されて、この切り込み８で囲まれた部分が仕切り板部１の下端からの突出片９となり、仕切り板４にはその幅方向中央部に上下方向に折り目１１が形成されている。【選択図】        図２
2004276924.tif 000002
【特許請求の範囲】
【請求項１】
２枚の平行な仕切り板部が下端の底板部によって繋がった段ボール板製の仕切り部材と、前記仕切り板部に対しスリット状の溝同士で直角に互いに噛み合う段ボール板製の仕切り板とから構成され、前記底板部には前記スリット状の溝と同位置にスリット状の溝が形成されているとともに前記両仕切り板部間の中間位置に折り目が形成されており、さらに底板部には前記両仕切り板部との連設部において前記スリット状の溝を挟む位置で逆台形状もしくは凵状の切り込みが形成されて、この切り込みで囲まれた部分が仕切り板部の下端からの突出片となるように形成されており、前記仕切り板にはその幅方向中央部に上下方向に折り目が形成されていることを特徴とする包装箱の仕切り体。
【発明の詳細な説明】
【０００１】
【発明の属する技術分野】
本発明は、段ボール板製の包装箱の中にセットされ、ビールなどの液体収納壜を包装箱の内部で仕切るための包装箱の仕切り体に関するものである。
【０００２】
【従来の技術】
従来からこの種包装箱の仕切り体としては例えば特許文献１に開示されているように、底面部の左右に第１側面部、第２側面部を連設し、該第１側面部には側面部の高さの半分より長くて上端が開口する第１長溝を形成し、第２側面部には第１側面部の第１長溝より短くて上端が開口する第１短溝を形成した嵌合片と、該嵌合片の底面部幅の間隔で上記嵌合片の第１長溝に嵌合する第２短溝と嵌合片の第１短溝に嵌合する第２長溝とを下端が開口するように形成した仕切片とからなるものが知られている。
【０００３】
このような仕切り体にあって、搬送時などにおいて折り畳まれるのであるが、そのとき第２側面部と底面部を伸ばして一連にするとともに第１側面部を底面部および第２側面部の下半に密接状に折り重なっている第１短溝、第１長溝とに第２長溝を一部だけ嵌合した仕切片を各側面部の外に接するように倒す。第１短溝と第１長溝および第２長溝はある程度の横幅が有るので、仕切片は各側面部の外側に接するように倒れる。したがって、嵌合片と仕切片とは一部が係合した状態で極めて薄くなる。
【０００４】
しかしながら、仕切り体はかかる折り畳み状態において、第１側面部の第１長溝と仕切片の第２短溝が嵌合状態ではなく、この折り畳み状態から組み立て状態にする場合は、底面部を第２側面部に対して直角になるように折るとともに第１長溝を第２長溝から外して第２短溝に嵌合させ、仕切片を十分に下降することにより組み立てが完成するのであるが、この作業は両手を使わないとできないという問題があった。また、折り畳み状態において嵌合片と仕切片とは一部が係合した状態であるが、第１長溝と第２短溝ならびに第１短溝と第２長溝とは完全に嵌合しておらず、嵌合片に対して仕切片が浮き上がった状態にあり、折り畳み状態において搬送時などの収納スペースを無駄に使用することになり、問題があった。
【０００５】
【特許文献１】
実開昭５８−６７７６３号公報
【０００６】
【発明が解決しようとする課題】
本発明はこのような課題を解決するもので、コンパクトに折り畳むことができるとともに、折り畳み状態から組み立てる際の作業を片手で容易に行なえるようにすることを目的とするものである。
【０００７】
【課題を解決するための手段】
この課題を解決するために本発明は、２枚の平行な仕切り板部が下端の底板部によって繋がった段ボール板製の仕切り部材と、前記仕切り板部に対しスリット状の溝同士で直角に互いに噛み合う段ボール板製の仕切り板とから構成され、前記底板部には前記スリット状の溝と同位置にスリット状の溝が形成されているとともに前記両仕切り板部間の中間位置に折り目が形成されており、さらに底板部には前記両仕切り板部との連設部において前記スリット状の溝を挟む位置で逆台形状もしくは凵状の切り込みが形成されて、この切り込みで囲まれた部分が仕切り板部の下端からの突出片となるように形成されており、前記仕切り板にはその幅方向中央部に上下方向に折り目が形成されていることを要旨とするものである。
【０００８】
この構成により、仕切り板の下端が前記底板部の溝に嵌入しない程度に仕切り板を底板部から少し浮き上がらせた状態とすることにより、底板部を折り目でＶ状に２つ折りすることができるとともに仕切り板を折り目でＶ状に２つ折りすることができ、仕切り体はコンパクトな折り畳み状態となる。そして、この折り畳み状態から組み立て状態にする作業は折り目でＶ状に２つ折りになっている仕切り板の上端を表裏両面から指で摘んで折り目の部分で広げて偏平状とすることにより底板部も広がって仕切り板部の間隔が広がり、かかる状態で仕切り板を押し下げて仕切り部材と仕切り板を完全に係合させると前記仕切り板の下端が前記底板部の溝に嵌入して仕切り体の形状が保持されることになり、折り畳み状態から組み立てる際の作業を片手で容易に行なえる。
【０００９】
【発明の実施の形態】
以下、本発明の実施の形態について、図面に基づいて説明する。
先ず、図１〜図４に示す第１の実施の形態について説明すると、本実施の形態の仕切り体は、２枚の平行な仕切り板部１，１が下端の底板部２によって繋がった段ボール板製の仕切り部材３と、前記仕切り板部１，１の幅方向中央において仕切り板部１，１に対し直角に噛み合う段ボール板製の仕切り板４とから構成されている。
【００１０】
前記仕切り部材３について詳細に述べると、仕切り板部１，１の幅方向中央において上端よりスリット状の溝５，５が形成されている。このスリット状の溝５，５の下端は仕切り板部１，１の上下方向中間部よりやや下側にまで達している。また、底板部２の幅方向中央にも前記両仕切り板部１，１間全長に亘ってスリット状の溝６が形成されている。底板部２には前述の溝６の他に、前記両仕切り板部１，１間の中間位置に折り目７が形成されているとともに、前記両仕切り板部１，１との連設部において前記スリット状の溝６を挟む位置で逆台形状（もしくは凵状）の切り込み８，８が形成されており、この切り込み８で囲まれた部分が仕切り板部１の下端からの突出片９となる。また、前記仕切り板４について述べると、この仕切り板４にはその幅方向に３等分する位置で下端よりスリット状の溝１０，１０が形成されている。このスリット状の溝１０，１０の上端は仕切り板４の上下方向中間部よりやや上側にまで達している。さらに、仕切り板４にはその幅方向中央部、即ち２箇所の溝１０，１０で挟まれる中央の板部４ａの中央位置において、上下方向に折り目１１が形成されている。
【００１１】
ところで、仕切り板部１，１のスリット状の溝５，５の上端および仕切り板４のスリット状の溝１０，１０の下端にはＶ状にカットされて溝５と溝１０との噛み合いが容易に行なえるようにしてある。さらに、前記仕切り板４の２箇所の溝１０，１０で挟まれる中央の板部４ａの下端は、この中央の板部４ａを挟む両側の板部４ｂの下端よりも少し下方に突出している。
【００１２】
上記構成において、仕切り部材３と仕切り板４とは、仕切り部材３の仕切り板部１，１を底板部２に対し直角に起立させ、かかる状態で仕切り板部１，１のスリット状の溝５，５に仕切り板４のスリット状の溝１０，１０を係合させるように噛み合わせることにより図２に示すような仕切り体が形成される。詳しくは、仕切り部材３の仕切り板部１，１を底板部２に対し直角に起立させたとき、仕切り板部１，１の下端の突出片９，９が底板部２よりも下方に突出して、仕切り部材３を床面上においたとき底板部２が床面から僅かに浮き上がった状態となる。そして、この仕切り部材３の仕切り板部１，１の溝５，５に仕切り板４の溝１０，１０を完全に係合させると前記仕切り板４の中央の板部４ａの下端が前記底板部２の溝６に嵌入して図２に示すような仕切り体の形状が保持される。
【００１３】
以上のようにして仕切り体が組み立てられるのであるが、工場などで仕切り部材３と仕切り板４を組み合わせて出荷するとき、仕切り板４の中央の板部４ａの下端が前記底板部２の溝６に嵌入しない程度に仕切り板４を底板部２から少し浮き上がらせた状態とすることにより、前記底板部２を折り目７でＶ状に２つ折りすることができるとともに仕切り板４を折り目１１でＶ状に２つ折りすることができ、仕切り体は図３に示すような折り畳み状態となる。
【００１４】
つまり、仕切り体はコンパクトな状態となって、ビール、ワインなどの製造工場に出荷され、ビール、ワインなどの内容物が詰められた壜を包装箱に収納する際に先に仕切り体が包装箱にセットされる。包装箱に仕切り体がセットされるとき、仕切り体を図３に示すような折り畳み状態（閉状態）から図２に示すような組み立て状態（開状態）にする必要がある。その作業は折り目１１でＶ状に２つ折りになっている仕切り板４の上端を表裏両面から指で摘んで折り目１１の部分で広げて偏平状とすることにより底板部２も広がって仕切り板部１，１の間隔が広がり、かかる状態で仕切り板４を押し下げて仕切り部材３の仕切り板部１，１の溝５，５に仕切り板４の溝１０，１０を完全に係合させると前記仕切り板４の中央の板部４ａの下端が前記底板部２の溝６に嵌入して仕切り体の形状が保持されることになる。かかる状態で仕切り体を段ボール板製の包装箱にセットした使用状態を図４に示す。図４に示すように、包装箱１２に仕切り体がセットされることにより、包装箱１２の内面と仕切り体とにより６つに仕切られた壜収納空間１３が形成され、６本の壜１４が仕切られた状態で収納されることになる。
【００１５】
以上、本発明の第１の実施の形態において、包装箱１２内で６つの壜収納空間１３を形成する仕切り体について説明したが、図５〜図７に示す第２の実施の形態のように、前記第１の実施の形態における仕切り部材３を２連状に形成した１枚の仕切り部材１５と、前記第１の実施の形態における仕切り板４と同様の３枚の仕切り板４を用意し、これら１枚の仕切り部材１５と３枚の仕切り板４を組み立てることにより１２本用の仕切り体を提供することができる。
【００１６】
次に、図８〜図１０に示す第３の実施の形態について説明すると、この実施の形態は１枚の段ボール板から２組の仕切り体を同時に切り抜く場合であって、２枚の仕切り部材３が２枚並んだ状態でカットするとともに、仕切り部材３の両端位置において２枚の仕切り板４をカットしている。この場合、少ない材料で効率良く切り抜くために仕切り部材３の上端位置ならびに仕切り板４の上端位置を互いに噛み合う形状の波型としてある。
【００１７】
【発明の効果】
以上のように本発明によれば、仕切り板の下端が前記底板部の溝に嵌入しない程度に仕切り板を底板部から少し浮き上がらせた状態とすることにより、底板部を折り目でＶ状に２つ折りすることができるとともに仕切り板を折り目でＶ状に２つ折りすることができ、仕切り体はコンパクトな折り畳み状態となる。そして、この折り畳み状態から組み立て状態にする作業は折り目でＶ状に２つ折りになっている仕切り板の上端を表裏両面から指で摘んで折り目の部分で広げて偏平状とすることにより底板部も広がって仕切り板部の間隔が広がり、かかる状態で仕切り板を押し下げて仕切り部材と仕切り板を完全に係合させると前記仕切り板の下端が前記底板部の溝に嵌入して仕切り体の形状が保持されることになり、折り畳み状態から組み立てる際の作業を片手で容易に行なえる。
【図面の簡単な説明】
【図１】本発明の第１の実施の形態における仕切り体の展開図である。
【図２】同仕切り体の組み立て状態を示す斜視図である。
【図３】同仕切り体の折り畳み状態を示す斜視図である。
【図４】同仕切り体の使用状態を示す斜視図である。
【図５】本発明の第２の実施の形態における仕切り体の展開図である。
【図６】同仕切り体の組み立て状態を示す斜視図である。
【図７】同仕切り体の折り畳み状態を示す斜視図である。
【図８】本発明の第３の実施の形態における仕切り体の展開図である。
【図９】同仕切り体の組み立て状態を示す斜視図である。
【図１０】同仕切り体の折り畳み状態を示す斜視図である。
【符号の説明】
１      仕切り板部
２      底板部
３      仕切り部材
４      仕切り板
４ａ    中央の板部
５      溝
６      溝
７      折り目
８      切り込み
９      突出片
１０      溝
１１      折り目
１２      包装箱
１３      壜収納空間
１４      壜
１５      仕切り部材
【図１】
2004276924.tif 000003
【図２】
2004276924.tif 000004
【図３】
2004276924.tif 000005
【図４】
2004276924.tif 000006
【図５】
2004276924.tif 000007
【図６】
2004276924.tif 000008
【図７】
2004276924.tif 000009
【図８】
2004276924.tif 000010
【図９】
2004276924.tif 000011
【図１０】
2004276924.tif 000012